(57)【要約】      （修正有）【課題】摩擦耐久性が向上し、有効に粉末をシールし得る、回転軸の粉末シール片を提供する。【解決手段】粉末シール片４のシール材片６を、ポリエステル系繊維の不織布の表面をフッ素コーティング処理して表面の繊維７を一定方向倒れ状態に備える。粉末シール片４におけるシール材片６の表面繊維７の倒れ方向を粉末シール片４の長手方向中心線に対して、右傾斜して備えた右傾斜粉末シール片Ｒと左傾斜して備えた左傾斜粉末シール片を備える。右傾斜粉末シール片Ｒと左傾斜粉末シール片に、夫々の何れであるかを瞬時かつ確実に識別可能な外形的・外観的な標１０を備える。【選択図】図１
0003178016.tif 000002
【実用新案登録請求の範囲】
【請求項１】
各種粉末のケース・容器・槽に備えた回転軸の軸受部の内面に固着して軸受部の粉末のもれ出しをシールするのに用いる短冊片状の粉末シール片であり、該粉末シール片の幅及び長さに見合った寸法の短冊片状で弾力性のある発泡プラスチック、ゴム、若しくはフェルト等からなるホルダーを中心として、該ホルダーの表面に粉末の侵入をシールするシール材片を接着すると共に、裏面に両面接着テープの片面剥離紙を剥がして接着して、前記シール材片、ホルダー、両面接着テープ、及びその他方面剥離紙の４者を一体的に積層構成したものを、平面状若しくは凹部の形状に略見合ったＪ形、Ｕ形、Ｃ形の形状に設けたものである粉末シール片において、
前記シール材片を、ポリエステル系繊維の不織布の表面をフッ素コーティング処理して表面の繊維を一定方向倒れ状態に備えたものとすると共に、粉末シール片における前記シール材片の表面繊維倒れ方向を粉末シール片の長手方向中心線に対して、右傾斜して備えた右傾斜粉末シール片と左傾斜して備えた左傾斜粉末シール片の２種類の粉末シール片を備えたことを特徴とする、
回転軸の粉末シール片。
【請求項２】
粉末を内容したケース・容器・槽を正面から見て、その左右の軸受部に回転軸を架設し正回転する状態で、右軸受部に固着する前記右傾斜粉末シール片を右軸受部用の右粉末シール片とし、左軸受部に固着する前記左傾斜粉末シール片を左軸受部用の左粉末シール片として、右粉末シール片と左粉末シール片の２種類の粉末シール片を備え、もって、回転軸の回転でケース・容器・槽内から左右軸受部に侵入せんとする粉末を各粉末シール片の傾斜繊維が侵入を排除して寄せ付けないように備えたことを特徴とする、
請求項１の回転軸の粉末シール片。
【請求項３】
回転軸が逆回転の場合は、前記右軸受部に前記左傾斜粉末シール片、前記左軸受部に前記右傾斜粉末シール片を備えたことを特徴とする、
請求項１の回転軸の粉末シール片。
【請求項４】
前記右粉末シール片と前記左粉末シール片の夫々に、夫々の何れであるかを瞬時かつ確実に識別可能な外形的・外観的な標（しるし）を備えたものであり、外形的な標は、粉末シール片の全体的若しくは部分的形状、凸起、切欠き、凹み、孔であり、外観的な標は、図形、文字、記号、印（マーク）、色彩であり、前記標（しるし）を備えることにより、右粉末シール片と左粉末シール片の製品、半製品、商品の移動、出荷、販売、現場作業、使用時等において右粉末シール片と左粉末シール片を取り違えるミスを犯さないように備えたものであり、特に、シール貼付け作業者が絶対に右粉末シール片と左粉末シール片を取り違えるミスを犯さないように備えたことを特徴とする、
請求項１の回転軸の粉末シール片。
【請求項５】
前記右粉末シール片と前記左粉末シール片の製品、半製品、商品の移動、出荷、販売、現場作業、使用時等において右粉末シール片と左粉末シール片を取り違えるミスを犯さないようにし、特に、シール貼付け作業者が絶対に右粉末シール片と左粉末シール片を取り違えるミスを犯さないようにするために、右粉末シール片と左粉末シール片を識別する前記標（しるし）を、夫々の梱包、包装容器、袋、台紙等に印刷、スタンプ、貼り紙等で表示し、若しくは、傾斜方向を示す矢印等を表示したラベル、シール等を同梱、同封するように備えたことを特徴とする、
請求項１の回転軸の粉末シール片。
【考案の詳細な説明】
【技術分野】
【０００１】本考案は、合成素材若しくは天然素材の各種粉末用の、構造、形状等任意のケース・容器・槽等に回転軸が備えられている場合に、その回転軸の軸受部の内面に設置して、回転軸の回転時に、粉末が回転軸と軸受部の間に侵入してケース・容器・槽等の外部にもれ出すのを防止し、回転軸と軸受部の間に侵入して回転を阻害するのを防止し、回転軸と軸受部の回転摩擦を小にして回転摩擦による発熱障害を防止するために用いる短冊片状の粉末シール片に係り、【０００２】前記粉末シール片のシール材片を、ポリエステル系繊維の不織布の表面をフッ素コーティング処理して表面の繊維を一定方向倒れ状態に備えたものとすると共に、粉末シール片における前記シール材片の表面繊維倒れ方向を粉末シール片の長手方向中心線に対して、右傾斜して備えた右傾斜粉末シール片（右粉末シール片）と左傾斜して備えた左傾斜粉末シール片（左粉末シール片）の２種類の粉末シール片を備えたことを特徴とする、回転軸の粉末シール片に係るものであり、【０００３】また、前記右傾斜粉末シール片と前記左傾斜粉末シール片の夫々に、夫々の何れであるかを瞬時かつ確実に識別可能な外形的・外観的な標（しるし）を備えた回転軸の粉末シール片に係るものである。
【背景技術】
【０００４】従来、合成素材若しくは天然素材の各種粉末用の、構造、形状等任意のケース・容器・槽等に回転軸が備えられている場合に、その回転軸の軸受部の内面に密接設置して、回転軸の回転時に、粉末が回転軸と軸受部の間に侵入してケース・容器・槽等の外部もれ出すのを防止し、或は、回転軸と軸受部の間に侵入して回転を阻害するのを防止するために、短冊片状等の粉末シール片が使用されており、【０００５】例えば、複写機、ファックス、プリンター等用のトナー（粉末）ケースの回転軸の軸受部には、弾力性があって摩擦抵抗が少なく、耐久性に秀れ、粉末の侵入を有効に防御する作用を行う等の特性を備えた短冊状の粉末シール片が広く使用されている。
【先行技術文献】
【特許文献】
【０００６】
【特許文献１】特願２００１−５９５７５
【特許文献２】特願２００１−２０８２０６
【特許文献３】特願２００３−２７５３７２
【考案の概要】
【考案が解決しようとする課題】
【０００７】ところが、前記従来の回転軸の粉末シール片は、高使用頻度、長期間使用等によって、回転軸とその周面に密接した粉末シール片との密接面間に粉末が徐々に侵入して次第に回転を阻害し、或は、粉末がケース・容器・槽の外にもれ出すことを、未だに、有効に防ぐことが困難な課題があった。
【課題を解決するための手段】
【０００８】請求項１の考案は、各種粉末のケース・容器・槽に備えた回転軸の軸受部の内面に固着して軸受部の粉末のもれ出しをシールするのに用いる短冊片状の粉末シール片であり、該粉末シール片の幅及び長さに見合った寸法の短冊片状で弾力性のある発泡プラスチック、ゴム、若しくはフェルト等からなるホルダーを中心として、該ホルダーの表面に粉末の侵入をシールするシール材片を接着すると共に、裏面に両面接着テープの片面剥離紙を剥がして接着して、前記シール材片、ホルダー、両面接着テープ、及びその他方面剥離紙の４者を一体的に積層構成したものを、平面状若しくは凹部の形状に略見合ったＪ形、Ｕ形、Ｃ形の形状に設けたものである粉末シール片において、
前記シール材片を、ポリエステル系繊維の不織布の表面をフッ素コーティング処理して表面の繊維を一定方向倒れ状態に備えたものとすると共に、粉末シール片における前記シール材片の表面繊維倒れ方向を粉末シール片の長手方向中心線に対して、右傾斜して備えた右傾斜粉末シール片と左傾斜して備えた左傾斜粉末シール片の２種類の粉末シール片を備えたことを特徴とする、
回転軸の粉末シール片によって課題を解決したものである。【０００９】請求項２の考案は、粉末を内容したケース・容器・槽を正面から見て、その左右の軸受部に回転軸を架設し正回転する状態で、右軸受部に固着する前記右傾斜粉末シール片を右軸受部用の右粉末シール片とし、左軸受部に固着する前記左傾斜粉末シール片を左軸受部用の左粉末シール片として、右粉末シール片と左粉末シール片の２種類の粉末シール片を備え、
もって、回転軸の回転でケース・容器・槽内から左右軸受部に侵入せんとする粉末を各粉末シール片の傾斜繊維が侵入を排除して寄せ付けないように備えたことを特徴とする、
請求項１の回転軸の粉末シール片によって課題を解決したものである。【００１０】請求項３の考案は、回転軸が逆回転（左回り・反時計方向）の場合は、前記右軸受部に前記左傾斜粉末シール片、前記左軸受部に前記右傾斜粉末シール片（右粉末シール片）を備えたことを特徴とする、
請求項１の回転軸の粉末シール片によって課題を解決したものである。【００１１】請求項４の考案は、前記右粉末シール片と前記左粉末シール片の夫々に、夫々の何れであるかを瞬時かつ確実に識別可能な外形的・外観的な標（しるし）を備えたものであり、外形的な標は、粉末シール片の全体的若しくは部分的形状、凸起、切欠き、凹み、孔であり、外観的な標は、図形、文字、記号、印（マーク）、色彩であり、前記標（しるし）を備えることにより、右粉末シール片と左粉末シール片の製品、半製品、商品の移動、出荷、販売、現場作業、使用時等において右粉末シール片と左粉末シール片を取り違えるミスを犯さないように備えたものであり、特に、シール貼付け作業者が絶対に右粉末シール片と左粉末シール片を取り違えるミスを犯さないように備えたことを特徴とする、
請求項１の回転軸の粉末シール片によって課題を解決したものである。【００１２】請求項５の考案は、前記右粉末シール片と前記左粉末シール片の製品、半製品、商品の移動、出荷、販売、現場作業、使用時等において右粉末シール片と左粉末シール片を取り違えるミスを犯さないようにし、特に、シール貼付け作業者が絶対に右粉末シール片と左粉末シール片を取り違えるミスを犯さないようにするために、
右粉末シール片と左粉末シール片を識別する前記標（しるし）を、夫々の梱包、包装容器、袋、台紙等に印刷、スタンプ、貼り紙等で表示し、若しくは、傾斜方向を示す矢印等を表示したラベル、シール等を同梱、同封するように備えたことを特徴とする、
請求項１の回転軸の粉末シール片によって課題を解決したものである。
【考案の効果】
【００１３】粉末シール片のシール材片を、ポリエステル系繊維の不織布の表面をフッ素コーティング処理して表面の繊維を一定方向倒れ状態に備えたものとすると共に、粉末シール片における前記シール材片の表面繊維倒れ方向を粉末シール片の長手方向中心線に対して、右傾斜して備えた右傾斜粉末シール片と左傾斜して備えた左傾斜粉末シール片の２種類の粉末シール片を備えたので、
前記フッ素コーティング処理により摩擦抵抗が極めて小で潤滑性に優れ摩擦耐久性が格段に向上し、また発熱を抑制して温度、湿度変化に対し安定性に優れる等の特性を付加したシール材片が得られると共に、例えば、回転軸正回転の場合、右傾斜して備えた右傾斜粉末シール片を右軸受部に、左傾斜して備えた左傾斜粉末シール片を左軸受部に取付使用することによって、回転軸の回転で軸受部に侵入せんとする粉末を傾斜繊維が積極的に排除して寄せ付けない作用を発揮して有効に粉末をシールし得る極めて優れた効果がある。【００１４】本考案は、前記２種類の粉末シール片を備え、両者を厳格に使い分けするようにしたことを特徴とし、それによって、極めて有効に、シール機能、効果を発揮して、軸受部に粉末を排除し、寄せ付けないようにして軸受部への侵入を阻止するようにしたものであるが、その反面、軸受部に粉末シール片を取付ける時に、万一、取り違えて、繊維の左右傾斜方向が反対の粉末シール片を取付けるミスを犯すと、右と左では、作用、効果が正反対であるため、回転軸の回転で侵入せんとする粉末を傾斜繊維が「積極的に導入」する作用を行ってしまうことになる。
これは、粉末シール片として致命的なミスであるため、それを確実に防止するために、両者を確実に識別選択して使用する対策が不可欠である。
一方、シール材片に使用する不織布として、近時はナノ繊維性不織布等の極めて細い繊維を使用するため、一定方向倒れ処理した表面の繊維の傾斜方向を目視で判別することは不可能に近いことが課題であった。
その点、本考案は、前記右傾斜粉末シール片と前記左傾斜粉末シール片の夫々に、夫々の何れであるかを瞬時かつ確実に識別可能な外形的・外観的な標（しるし）を備えものであり、これによって、右傾斜粉末シール片と左傾斜粉末シール片の製品、半製品、商品の移動、出荷、販売、現場作業、使用時等において右傾斜粉末シール片と左傾斜粉末シール片を取り違えるミスを犯すことがなく、特に、シール貼付け作業者が絶対に右傾斜粉末シール片と左傾斜粉末シール片を取り違えるミスを犯すことがない優れた効果がある。【００１５】また、前記標（しるし）を、右傾斜粉末シール片と左傾斜粉末シール片の夫々の梱包、包装容器、袋、台紙等に印刷、スタンプ、貼り紙等で表示し、若しくは、傾斜方向を示す矢印等を表示したラベル、シール等を同梱、同封するように備えるようにしたので、前記両粉末シール片の製品、半製品、商品の移動、出荷、販売、現場作業、使用時等において右傾斜粉末シール片と左傾斜粉末シール片を取り違えるミスを犯すことがなく、特に、シール貼付け作業者が絶対に右傾斜粉末シール片と左傾斜粉末シール片を取り違えるミスを犯すことがない優れた効果がある。【００１６】而して、前記のように、右傾斜粉末シール片と左傾斜粉末シール片の２種類の粉末シール片を備え、両者を厳格に使い分けするようにした回転軸の粉末シール片、及び、致命的なミスとなる、両者を取違えミスを無くし、特に、シール貼付け作業者の取違えミスを無くすために、夫々に、夫々の何れであるかを瞬時かつ確実に識別可能な外形的・外観的な標（しるし）を備えた回転軸の粉末シール片は、これまで全く存在しない新規かつ革新的な考案である。【００１７】本考案粉末シール片は、粉末の種類を限定していないが、例えば、工業製品の各種粉末、若しくは、複写機、ファックス、プリンター等用の粉末（トナー、磁気トナー等）等のケース・容器・槽等の回転軸の軸受部用の粉末シール片として好適なものを提供することができる。
【図面の簡単な説明】
【００１８】
【図１】図１は、右傾斜粉末シール片（右粉末シール片）の実施例の正面図、右側面図、左側面図である。
【図２】図２は、左傾斜粉末シール片（左粉末シール片）の実施例の正面図、右側面図、左側面図である。
【図３】図３は、図１の拡大縦断面図であり、図２の拡大縦断面図（図示省略）と対称である。
【図４】図４の（イ）は、粉末のケース・容器・槽の左、右軸受部に左、右傾斜粉末シール片（左、右粉末シール片）を夫々取付け、回転軸を架設した状態の切断正面図であり、（ロ）は（イ）の軸受部の切断側面図である。
【図５】図５は、粉末のケース・容器・槽の左、右軸受部に左、右傾斜粉末シール片（左、右粉末シール片）を夫々取付け、回転軸を架設して正回転した場合における、左、右傾斜粉末シール片（左、右粉末シール片）が粉末をシールする作用状態の説明図である。
【図６】図６は、図５の右軸受部に、誤って（左右を取違えて）、左粉末シール片を取付けた場合の説明図である。
【図７】図７は、標（しるし）の１例である識別シール若しくはラベルの表面図であり、（イ）は右傾斜粉末シール片（右粉末シール片）用、（ロ）は左傾斜粉末シール片（左粉末シール片）用であり、夫々の梱包、包装等の容器、袋等に同封、貼付等するものである。
【考案を実施するための形態】
【００１９】回転軸の粉末シール片において、粉末をシールする性能を従来に比して格段に向上せんとする目的を、本考案は、粉末シール片のシール材片を、ポリエステル系繊維の不織布の表面をフッ素コーティング処理して表面の繊維を一定方向倒れ状態に備えたものとすると共に、粉末シール片における前記シール材片の表面繊維倒れ方向を粉末シール片の長手方向中心線に対して、右傾斜して備えた右傾斜粉末シール片と左傾斜して備えた左傾斜粉末シール片の２種類の粉末シール片を備えた回転軸の粉末シール片、また、前記右傾斜粉末シール片と前記左傾斜粉末シール片の夫々に、夫々の何れであるかを瞬時かつ確実に識別可能な外形的・外観的な標（しるし）を備えた、回転軸の粉末シール片を考案提供することによって実現した。
【実施例１】
【００２０】図１は、右傾斜粉末シール片（右粉末シール片）の実施例の正面図、右側面図、左側面図、図２は、左傾斜粉末シール片（左粉末シール片）の実施例の正面図、右側面図、左側面図、図３は、図１の拡大縦断面図で図２の拡大縦断面図（図示省略）と対称、図４の（イ）は、粉末のケース・容器・槽の左、右軸受部に左、右傾斜粉末シール片（左、右粉末シール片）を夫々取付け、回転軸を架設した状態の切断正面図、（ロ）は（イ）の軸受部の切断側面図、図５は、粉末のケース・容器・槽の左、右軸受部に左、右傾斜粉末シール片（左、右粉末シール片）を夫々取付け、回転軸を架設して正回転した場合における、左、右傾斜粉末シール片（左、右粉末シール片）が粉末をシールする作用状態の説明図、図６は、図５の右軸受部に、誤って（左右を取違えて）、左粉末シール片を取付けた場合の説明図である。
符号、
Ｒは右傾斜粉末シール片（右粉末シール片）、Ｌは左傾斜粉末シール片（左粉末シール片）、１はケース・容器・槽、２は回転軸、３は軸受部、３ａは右軸受部、３ｂは左軸受部、４は粉末シール片、５はホルダー、６はシール材片、７は表面の繊維、８は両面粘着テープ、９は剥離紙、１０は標（しるし）１１は粉末である。【００２１】本考案は、各種粉末のケース・容器・槽１に備えた回転軸２の軸受部３の内面に固着して軸受部３の粉末１１のもれ出しをシールするのに用いる短冊片状の粉末シール片４であり、該粉末シール片４の幅及び長さに見合った寸法の短冊片状で弾力性のある発泡プラスチック、ゴム、若しくはフェルト等からなるホルダー５を中心として、該ホルダー５の表面に粉末の侵入をシールするシール材片６を接着すると共に、裏面に両面接着テープ８の片面剥離紙を剥がして接着して、前記シール材片６、ホルダー５、両面接着テープ８、及びその他方面剥離紙９の４者を一体的に積層構成したものを、平面状若しくは凹部の形状に略見合ったＪ形、Ｕ形、Ｃ形の形状に設けたものである粉末シール片１において、（図４の（イ）、（ロ）を参照）【００２２】前記シール材片６を、ポリエステル系繊維の不織布の表面をフッ素コーティング処理して表面の繊維７を一定方向倒れ状態に備えたものとすると共に、粉末シール片４における前記シール材片６の表面繊維７の倒れ方向を粉末シール片４の長手方向中心線に対して、右傾斜（右上がり傾斜、図示実施例４５°）して備えた右傾斜粉末シール片Ｒと左傾斜（左上がり傾斜、図示実施例４５°）して備えた左傾斜粉末シール片Ｌの２種類の回転軸の粉末シール片を備えたものである。（図１、図２、図３を参照）【００２３】例えば、粉末１１を内容したケース・容器・槽１を正面から見て、その左、右の軸受部３ｂ、３ａに回転軸２を架設し正回転（右回転、時計方向）する状態で、右軸受部３ａに固着する前記右傾斜粉末シール片Ｒを右軸受部３ａ用の右粉末シール片Ｒとし、左軸受部３ｂに固着する前記左傾斜粉末シール片Ｌを左軸受部３ｂ用の左粉末シール片Ｌとして、右粉末シール片Ｒと左粉末シール片Ｌの２種類の粉末シール片１を備え、
もって、回転軸２の回転でケース・容器・槽１内から左、右軸受部３ｂ、３ａに侵入せんとする粉末１１を各粉末シール片Ｒ、Ｌの傾斜繊維７が粉末の侵入を排除して寄せ付けないように備えたものである。【００２４】而して、図５の説明図に示すように、右軸受部３ａに取付けた右粉末シール片Ｒ、及び左軸受部３ｂに取付けた左粉末シール片Ｌは、回転軸２の回転で粉末１１が矢印の方向に移動されて左、右軸受部３ｂ、３ａの左、右粉末シール片Ｌ、Ｒの間に侵入せんとするが、左、右シール粉末片Ｌ、Ｒの表面繊維７の傾斜方向と前記粉末侵入方向（矢印）が反対方向で互いに衝突するため、表面繊維７が粉末１１を排除し、寄せ付けないようになって、粉末の軸受部への侵入を有効に阻止するものである。【００２５】ところが、図６の説明図に示すように、例えば、図５の右軸受部３ａに、誤って（左、右を取違えて）、左粉末シール片３ｂを取付けた場合、表面繊維７の傾斜方向と粉末１１の侵入方向（矢印）が同じ方向になるため、侵入せんとする粉末（矢印）を傾斜繊維７が「積極的に導入」する作用を行うものである。
即ち、万一、取り違えて、繊維の左、右傾斜方向が反対の粉末シール片を取付けるミスを犯すと、右傾斜と左傾斜では、作用、効果が正反対であるため、回転軸の回転で侵入せんとする粉末を傾斜繊維が「積極的に導入」する作用を行ってしまうという、致命的なミスを犯すことになるものである。【００２６】なお、本考案は、粉末の種類を選ばず、ケース・容器・槽等及びそれに備えられた回転軸の構造、形状等を選ばず、各種のケース、容器、槽等の軸受部の内面の設置場所に見合った形状及び寸法であれば、任意である。
【実施例２】
【００２７】本考案の構成及び作用効果は、回転軸が正回転（右回り・時計方向）の場合を基準として記載している。
なお、回転軸が逆回転（左回り・反時計方向）の場合は、当然の事ながら、前記正回転の場合と反対に、右軸受部に左傾斜粉末シール片（左粉末シール片）、左軸受部に右傾斜粉末シール片（右粉末シール片）を備えるものである（構成及び作用効果の説明及び図示を省く。）。
【実施例３】
【００２８】図１は、右傾斜粉末シール片（右粉末シール片）の実施例の正面図、右側面図、左側面図、図２は、左傾斜粉末シール片（左粉末シール片）の実施例の正面図、右側面図、左側面図、図７は、標（しるし）の１例である識別シール若しくはラベルの表面図であり、（イ）は右傾斜粉末シール片（右粉末シール片）用、（ロ）は左傾斜粉末シール片（左粉末シール片）用であり、夫々の梱包、包装等の容器、袋等に同封、貼付等するものである。
符号、
Ｒは右傾斜粉末シール片（右粉末シール片）、Ｌは左傾斜粉末シール片（左粉末シール片）、１は粉末シール片、１０は標（しるし）、１２はラベル、シール等である。【００２９】本考案は、前記の右粉末シール片Ｒと前記左粉末シール片Ｌを取り違える課題を無くす有効な手段として、前記右粉末シール片Ｒと前記左粉末シール片Ｌの夫々に、夫々の何れであるかを瞬時かつ確実に識別可能な外形的・外観的な標（しるし）１０を備えたものであり、例えば、外形的な標１０は、粉末シール片の全体的若しくは部分的形状（例・図１、図２）、凸起（例・図１、図２）、切欠き、凹み、孔であり、外観的な標１０は、図形（例・図７（イ）、（ロ））、文字、記号（例・図１、図２、図７（イ）、（ロ））、印（マーク）、色彩であり、
前記標（しるし）１０を備えることにより、右粉末シール片Ｒと左粉末シール片Ｌの製品、半製品、商品の移動、出荷、販売、現場作業、使用時等において右粉末シール片Ｒと左粉末シール片Ｌを取り違えるミスを犯さないように備えたものであり、特に、シール貼付け作業者が絶対に右粉末シール片Ｒと左粉末シール片Ｌを取り違えるミスを犯さないように備えたものである。【００３０】また、前記右粉末シール片Ｒと前記左粉末シール片Ｌの製品、半製品、商品の移動、出荷、販売、現場作業、使用時等において右粉末シール片Ｒと左粉末シール片Ｌを取り違えるミスを犯さないようにし、特に、シール貼付け作業者が絶対に右粉末シール片Ｒと左粉末シール片Ｌを取り違えるミスを犯さないようにするために、
右粉末シール片Ｒと左粉末シール片Ｌを識別する前記標（しるし）１０を、夫々の梱包、包装容器、袋、台紙等に印刷、スタンプ、貼り紙等で表示し、若しくは、傾斜方向を示す矢印等を表示したラベル、シール等１２（例・図７（イ）、（ロ））を同梱、同封するように備えたものである。
【産業上の利用可能性】
【００３１】本考案は、各種粉末用のケース・容器・槽等に回転軸が備えられている場合に、その回転軸の軸受部に設置して、粉末が回転軸と軸受部の間に侵入してケース・容器・槽等の外部にもれ出すのを防止し、或は、回転軸と軸受部の間に侵入して回転を阻害するのを防止するために用いる粉末シール片であり、粉末の種類を選ばず、ケース・容器・槽等及びそれに備えられた回転軸の構造、形状等を選ばず、極めて広範囲に使用・利用・応用可能なものである。
【符号の説明】
【００３２】Ｒ  実施例右傾斜粉末シール片（右粉末シール片）
Ｌ  実施例左傾斜粉末シール片（左粉末シール片）
１  ケース・容器・槽
２  回転軸
３  軸受部
３ａ  右軸受部
３ｂ  左軸受部
４  粉末シール片
５  ホルダー
６  シール材片
７  表面の繊維
８  両面粘着テープ
９  剥離紙
１０  標（しるし）
１１  粉末
１２  ラベル、シール等
【図１】
0003178016.tif 000003
【図２】
0003178016.tif 000004
【図３】
0003178016.tif 000005
【図４】
0003178016.tif 000006
【図５】
0003178016.tif 000007
【図６】
0003178016.tif 000008
【図７】
0003178016.tif 000009